(57)【要約】【課題】吸収構造体が十分に引き上げられていないことを容易に判別可能な吸収性物品の提供。【解決手段】前胴ベルト１８と、後胴ベルト１９と、前後胴ベルト間に連結される股間パネル１３とを備えるパンツ型の吸収性物品１０において、股間パネルに配置され、前後胴ベルトの少なくとも一方のベルトの下端部が重なり合う第１視認領域５１と、前後胴ベルトの少なくとも一方のベルトに配置され、下端部に沿って延びる第２視認領域５２との少なくとも一方を有し、第１および第２視認領域は色彩、模様、および色彩と模様の組合せのいずれかで構成され、第１視認領域は、前後胴ベルトと対比したとき、色彩、模様、および色彩と模様の組合せの内の少なくともいずれか１つにおいて相違し、第２視認領域は、股間パネルと対比したとき、色彩、模様、および色彩と模様の組合せの内の少なくともいずれか１つにおいて相違することを特徴とする。【選択図】図１
2014233562.tif 000002
【特許請求の範囲】
【請求項１】
着用者の肌に対向する肌対向面およびその反対側に位置する非肌対向面を有し、前胴ベルトと、後胴ベルトと、前記前後胴ベルト間に連結される股間パネルとを備え、前記前後胴ベルトの両側縁部が接合されて環状の胴回りベルトが形成されるとともに、前記股間パネルの両端部の非肌対向面がそれぞれ前記前後胴ベルトの肌対向面の中央部に重ね合わせて接合域において接合され、前記前後胴ベルトの上端部により胴回り開口縁が形成され、前記前後胴ベルトの下端部の両側と前記股間パネルの両側縁部とにより一対の脚回り開口縁が形成されるパンツ型の吸収性物品であって、
前記股間パネルに配置され、前記前後胴ベルトの少なくとも一方のベルトの前記下端部が重なり合う第１視認領域と、
前記前後胴ベルトの少なくとも一方のベルトに配置され、前記下端部に沿って延びる第２視認領域との、いずれか一方または両方の視認領域を有し、
前記第１および第２視認領域は色彩、模様、および色彩と模様の組合せのいずれかで構成され、
前記第１視認領域は、前記前後胴ベルトと対比したとき、色彩、模様、および色彩と模様の組合せの内の少なくともいずれか１つにおいて相違し、
前記第２視認領域は、前記股間パネルと対比したとき、色彩、模様、および色彩と模様の組合せの内の少なくともいずれか１つにおいて相違することを特徴とする、前記吸収性物品。
【請求項２】
着用者の肌に対向する肌対向面およびその反対側に位置する非肌対向面を有し、前胴ベルトと、後胴ベルトと、前記前後胴ベルト間に連結される股間パネルとを備え、前記前後胴ベルトの両側縁部が接合されて環状の胴回りベルトが形成されるとともに、前記股間パネルの両端部の非肌対向面がそれぞれ前記前後胴ベルトの肌対向面の中央部に重ね合わせて接合域において接合され、前記前後胴ベルトの上端部により胴回り開口縁が形成され、前記前後胴ベルトの下端部の両側と前記股間パネルの両側縁部とにより一対の脚回り開口縁が形成されるパンツ型の吸収性物品であって、
前記股間パネルに配置され、前記前後胴ベルトの少なくとも一方のベルトの前記下端部が重なり合う第１視認領域と、
前記前後胴ベルトの少なくとも一方のベルトに配置され、前記下端部に沿って延びる第２視認領域との、いずれか一方または両方の視認領域を有し、
前記第１および第２視認領域は色彩、模様、および色彩と模様の組合せのいずれかで構成され、前記第１視認領域は目視により前記前後胴ベルトと対比したとき互いに見分けることができ、前記第２視認領域は目視により前記股間パネルと対比したとき互いに見分けることができることを特徴とする、前記吸収性物品。
【請求項３】
前記股間パネルに前記第１視認領域が配置され、前記前後胴ベルトがそれぞれ少なくとも２層の繊維不織布で形成されるとともに前記繊維不織布の層間で間隔を置いて互いに接合され、前記下端部では前記少なくとも２層の前記繊維不織布が互いに遊離しており、
前記前後胴ベルトと前記股間パネルとを接合する前記接合域の接合下端部が、前記前後胴ベルトの前記下端部に沿って延び、
前記接合下端部から、前記前後胴ベルトの前記下端部において前記繊維不織布が互いに遊離している部分が、前記前後胴ベルトの前記上端部から前記下端部に向かう方向に延び出す、請求項１または２に記載の吸収性物品。
【請求項４】
前記股間パネルに前記第１視認領域が配置され、前記前後胴ベルトの少なくとも一方に、前記股間パネルに配置された前記第１視認領域の一部と重なり合う遮蔽シートを備える、請求項１〜３のいずれか１項に記載の吸収性物品。
【請求項５】
前記遮蔽シートが、前記前後胴ベルトの前記下端部において前記繊維不織布が互いに遊離する部分には存在しない、請求項４に記載の吸収性物品。
【請求項６】
前記前後胴ベルトの全光線透過率（ＪＩＳ−Ｋ７１０５）が６０％以下である、請求項１〜５のいずれか１項に記載の吸収性物品。
【請求項７】
前記前後胴ベルトの少なくとも一方に前記第２視認領域が配置され、
前記前後胴ベルトがそれぞれ少なくとも２層の繊維不織布で形成されるとともに前記繊維不織布の層間で間隔を置いて互いに接合され、前記下端部では前記少なくとも２層の繊維不織布が互いに遊離しており、
前記前後胴ベルトと前記股間パネルとを接合する前記接合域の接合下端部が、前記前後胴ベルトの前記下端部に沿って延び、
前記接合下端部から、前記前後胴ベルトの前記下端部において前記繊維不織布が互いに遊離している部分が、前記前後胴ベルトの前記上端部から前記下端部に向かう方向に延び出し、前記第２視認領域に前記接合下端部が重なり合う、請求項１または２に記載の吸収性物品。
【請求項８】
前記前後胴ベルトの前記下端部の少なくとも一部が直線状である、請求項１〜７のいずれか１項に記載の吸収性物品。
【請求項９】
前記前後胴ベルトの形状がそれぞれ矩形であり、前記前後胴ベルトの前記両側縁部の長さの差が０〜１０ｍｍの範囲内にある、請求項１〜８のいずれか１項に記載の吸収性物品。
【請求項１０】
前記股間パネルの両側部に沿って前記縦方向に延び、バリアカフ弾性部材が伸長状態で取り付けられた一対のバリアカフを備える、請求項１〜９のいずれか１項に記載の吸収性物品。
【請求項１１】
前記縦方向において、前記バリアカフの最大伸長時における有効伸長寸法が、前記前胴ベルトの下端縁から前記後胴ベルトの下端縁までの離間寸法よりも大きい、請求項１０に記載の吸収性物品。
【発明の詳細な説明】
【技術分野】
【０００１】
本発明は、使い捨ておむつ等のパンツ型の吸収性物品に関する。
【背景技術】
【０００２】
従来、パンツ型の吸収性物品は公知である。例えば、特許文献１には、着用者の腹側に配される横長の矩形状の腹側シート部材と、着用者の背側に配される横長の矩形状の背側シート部材と、腹側シート部材および背側シート部材に架け渡して固定された吸収性本体と、吸収性本体の両側部それぞれに配された立体ギャザーとを具備するパンツ型吸収性物品であって、吸収性本体は縦長の吸収体を有し、吸収体はその縦方向に沿って延在する一対の非積繊部を有しており、一対の非積繊部それぞれは、腹側シート部材と背側シート部材とに跨っているパンツ型の吸収性物品が開示されている。
【先行技術文献】
【特許文献】
【０００３】
【特許文献１】特開２０１２−６１１３８号公報
【発明の概要】
【発明が解決しようとする課題】
【０００４】
一般に、パンツ型の吸収性物品を着用者に装着させるとき、吸収性物品の両脇部を掴んで引き上げる。特許文献１に開示された吸収性物品は、矩形状の腹側および背側シート部材に、縦長の矩形状の吸収性本体（以下、吸収構造体と呼ぶ）を架け渡す構造となっているので、吸収性物品の両脇部を掴んで引き上げると、吸収性物品の両脇部のみが上に引きあげられてしまい、吸収構造体が十分に引き上げられないことがある。吸収構造体が十分に引き上げられていないことに気付かないまま吸収性物品を使用すると、吸収性物品の脚回りから漏れが発生することがある。
【０００５】
以上に鑑み、本発明は、吸収構造体が十分に引き上げられていないことを容易に判別可能な吸収性物品を提供することを課題とする。
【課題を解決するための手段】
【０００６】
本発明は、着用者の肌に対向する肌対向面およびその反対側に位置する非肌対向面を有し、前胴ベルトと、後胴ベルトと、前後胴ベルト間に連結される股間パネルとを備え、前後胴ベルトの両側縁部が接合されて環状の胴回りベルトが形成されるとともに、股間パネルの両端部の非肌対向面がそれぞれ前後胴ベルトの肌対向面の中央部に重ね合わせて接合域において接合され、前後胴ベルトの上端部により胴回り開口縁が形成され、前後胴ベルトの下端部の両側と股間パネルの両側縁部とにより一対の脚回り開口縁が形成されるパンツ型の吸収性物品に関する。
【０００７】
本発明の吸収性物品は、股間パネルに配置され、前後胴ベルトの少なくとも一方のベルトの下端部が重なり合う第１視認領域と、前後胴ベルトの少なくとも一方のベルトに配置され、下端部に沿って延びる第２視認領域との、いずれか一方または両方の視認領域を有し、第１および第２視認領域は色彩、模様、および色彩と模様の組合せのいずれかで構成され、第１視認領域は、前後胴ベルトと対比したとき、色彩、模様、および色彩と模様の組合せの内の少なくともいずれか１つにおいて相違し、第２視認領域は、股間パネルと対比したとき、色彩、模様、および色彩と模様の組合せの内の少なくともいずれか１つにおいて相違することを特徴とする。
【０００８】
また別の態様では、本発明の吸収性物品は、股間パネルに配置され、前後胴ベルトの少なくとも一方のベルトの下端部が重なり合う第１視認領域と、前後胴ベルトの少なくとも一方のベルトに配置され、下端部に沿って延びる第２視認領域との、いずれか一方または両方の視認領域を有し、第１および第２視認領域は色彩、模様、および色彩と模様の組合せのいずれかで構成され、第１視認領域は目視により前後胴ベルトと対比したとき互いに見分けることができ、第２視認領域は目視により股間パネルと対比したとき互いに見分けることができることを特徴とする。
【発明の効果】
【０００９】
本願の吸収性物品では、股間パネルと前後胴ベルトとの境界は、前後胴ベルトの下端部に位置する。吸収性物品の吸収構造体が十分に引き上げられていないときには、前後胴ベルトの下端部は、その両側が吊り上った形状（以下Ｖ字形状と呼ぶ）となる。本願発明では、この下端部を含むエリア内に、股間パネルに配置され前後胴ベルトの下端部に重なり合う第１視認領域と、下端部に沿って延びる第２視認領域との少なくとも一方が配置され、第１視認領域は、目視により前後胴ベルトと対比したとき、色彩、模様、および色彩と模様の組合せの内の少なくともいずれか１つにおいて相違し、第２視認領域は、目視により股間パネルと対比したとき、色彩、模様、および色彩と模様の組合せの内の少なくともいずれか１つにおいて相違する。本願発明の別の態様では、この下端部を含むエリア内に、股間パネルに配置され前後胴ベルトの下端部に重なり合う第１視認領域と、下端部に沿って延びる第２視認領域との少なくとも一方が配置され、第１および第２視認領域をそれぞれ前後胴ベルトおよび股間パネルと目視により対比したとき、互いに見分けることができる。すなわち、本願の吸収性物品では、股間パネルと前後胴ベルトとの境界を、目視により見分けることができる。この構成により、吸収構造体の引き上げが不十分なとき、Ｖ字形状となった前後胴ベルトの下端部を明瞭に際立たせることができるので、吸収構造体が十分に引き上げられていないことを容易に判別可能な吸収性物品が提供される。
【００１０】
本願の「視認領域」とは、色彩、模様、または色彩と模様の組合せにより形成された領域を意味する。色彩には、有彩色と無彩色が含まれ、透明は含まれない。但し、吸収性物品の前後胴ベルトおよび股間パネルを白色の繊維不織布で構成する場合、白色は第１および第２視認領域を構成する色彩には含まれないものとする。模様には、文字、幾何学形状および装飾的形状（例えば花柄）等の図形のほか、表面の凹凸も含まれる。「目視により対比したとき互いに見分けることができる」とは、第１および第２視認領域をそれぞれ前後胴ベルトおよび股間パネルと目視により対比したとき、色彩と模様のいずれかが、相違が認められる程度に異なっていることを意味する。第１および第２視認領域をそれぞれ前後胴ベルトおよび股間パネルと目視により対比したとき相違が認められる場合の例として、黒色と白色の組合せ、赤色と青色の組合せ、縦縞と横縞の色彩、または縦縞と横縞の凹凸模様の組合せが挙げられるが、これらに限定されない。吸収性物品を構成する繊維不織布およびプラスチックフィルム等の基材に視認領域を配置する場合、印刷による幾何学形状等の着色領域の形成、着色料により着色されたシート片の接合、印刷により幾何学形状を有する着色領域が形成されたシート片の接合、エンボス加工による凹凸の形成等の手段により行うことができるが、これらに限定されない。
【図面の簡単な説明】
【００１１】
【図１】第１実施形態に係る吸収性物品の一例のおむつの斜視図。
【図２】前後胴ベルトの接合を解除して伸展したおむつの展開平面図。
【図３】おむつの分解斜視図。
【図４】図１のＩＶ−ＩＶ線模式断面図。
【図５】吸収構造体の引き上げが不十分なときの状態を表す模式図。
【図６】第２実施形態に係るおむつの斜視図。
【図７】本発明の変形例に係るおむつの分解斜視図。
【発明を実施するための形態】
【００１２】
＜第１実施形態＞
本発明の吸収性物品がパンツ型のおむつ１０である場合について、図１〜４を参照して説明する。図１に示すおむつ１０は、着用者の肌に対向する肌対向面およびその反対側に位置する非肌対向面を有し、前胴ベルト１８と、後胴ベルト１９と、前後胴ベルト１８，１９間に連結される股間パネル１３とを備える。前胴ベルト１８および後胴ベルト１９は、側縁部１８ｃ，１８ｄ，１９ｃ，１９ｄどうしが接合されることにより、環状の胴回りベルト２０を形成する。股間パネル１３は、その両端部１３ａ，１３ｂ（図２参照）の非肌対向面が、それぞれ前胴ベルト１８および後胴ベルト１９の肌対向面の中央部に接合されている。また、おむつ１０は、前胴ベルト１８の上端部１８ａと後胴ベルト１９の上端部１９ａとにより形成される胴回り開口縁２２と、股間パネル１３の両側縁部１３ｃ，１３ｄと、前胴ベルト１８および後胴ベルト１９の下端部１８ｂおよび下端部１９ｂの両側とにより形成される一対の脚回り開口縁２３とを有する。
【００１３】
おむつ１０は、股間パネル１３に配置され、前胴ベルト１８の下端部１８ｂおよび後胴ベルト１９の下端部１９ｂに重なり合う第１視認領域５１を有する。本実施形態の第１視認領域５１は、フィルム上に印刷により形成された格子状の模様であり、黒色、青色、赤色等の色彩を有する。本実施形態の前後胴ベルト１８，１９は白色の繊維不織布で構成されており、第１視認領域５１は、前後胴ベルト１８，１９と目視で対比したとき、互いに明瞭に見分けることができる。なお、本実施形態の変形例として、第１視認領域５１を前胴ベルト１８の下端部１８ｂおよび後胴ベルト１９の下端部１９ｂのいずれか一方のみに重なり合う位置に設けることもできる。また、第１視認領域を繊維不織布上に形成することもできる。本実施形態では、前後胴ベルト１８、１９には第２視認領域５２は配置されていない。
【００１４】
図２は、図１のおむつ１０の側縁部１８ｃ，１８ｄ，１９ｃ，１９ｄにおける前胴ベルト１８と後胴ベルト１９との接合を解き、平面状に伸展したときのおむつ１０の平面展開図である。なお、以下の説明では、図２においておむつ１０の前胴ベルト１８から後胴ベルト１９に向かう方向を縦方向Ｙと呼び、縦方向Ｙに直交する方向を横方向Ｘと呼ぶ。図２に示すように、前胴ベルト１８は、横方向Ｘに平行に延びる上端部１８ａおよび下端部１８ｂと、上下端部１８ａ，１８ｂに直交し、互いに平行に延びる両側縁１８ｃ，１８ｄとを有し、後胴ベルト１９は、横方向Ｘに平行に延びる上端部１９ａおよび下端部１９ｂと、上端部１９ａおよび下端部１９ｂに直交し、互いに平行に延びる両側縁１９ｃ，１９ｄとを有する。前胴ベルト１８の下端部１８ｂと、後胴ベルト１９の下端部１９ｂは、いずれも直線状であり、前胴ベルト１８と後胴ベルト１９は同形同大の矩形形状を有する。
【００１５】
互いに対応する前胴ベルト１８の両側縁１８ｃ，１８ｄと後胴ベルト１９の両側縁１９ｃ，１９ｄとの肌対向面どうしを重ね合わせ、例えば熱エンボス加工、超音波溶着などの公知の熱溶着手段によって接合したとき、前後胴ベルト１８，１９の上端部１８ａ，１９ａとで、おむつ１０の胴回り開口縁２２が形成される。前後胴ベルト１８，１９のそれぞれには、横方向Ｘに延びる複数条の胴回り弾性部材３０が伸長状態で接合されている。また、股間パネル１３の両側縁部１３ｃ，１３ｄに沿って、縦方向Ｙに互いに平行に延びる一対の脚回り弾性部材３２が伸長状態で取り付けられている。さらに、横方向Ｘにおける一対の脚回り弾性部材３２の間には、一対のバリアカフ弾性部材４２が伸長状態で取り付けられ、縦方向Ｙに互いに平行に延びている。
【００１６】
胴回り弾性部材３０を構成する複数条の弾性糸として、例えば、太さ３００〜８００ｄｔｅｘ、好ましくは太さ４００〜６５０ｄｔｅｘのゴム紐等の弾性糸を用いて、伸長倍率１．８〜３．５倍、好ましくは伸長倍率２．０〜２．５倍において用いることができる。脚回り弾性部材３２およびバリアカフ弾性部材４２には、胴回り弾性部材３０と同様の弾性糸を用いることができる。脚回り弾性部材３２およびバリアカフ弾性部材４２の伸長倍率も、２．０〜３．５倍の範囲にすることができる。
【００１７】
図３に示すように、前後胴ベルト１８，１９は、それぞれ、１枚の前シート部材２４および１枚の後シート部材２５を半分に折り返した中に、横方向Ｘに延びる複数条の胴回り弾性部材３０を伸長状態でホットメルト接着剤（図示せず）により接合して形成されている。詳しくは、前シート部材２４および後シート部材２５は同形同大であり、それぞれ半分に折り返されることにより２層とされるとともに、層間においてホットメルト接着剤により間隔を置いて互いに接合されている。但し、図４に示すように、前後胴ベルト１８，１９の下端部１８ｂ，１９ｂでは、２層とされた前シート部材２４および後シート部材２５は互いに接合されておらず、互いに遊離している。また、前後胴ベルト１８，１９と股間パネル１３とが、接合域５５においてホットメルト接着剤により互いに接合されている。接合域５５には、ホットメルト接着剤がスパイラル状、ドット状、ストライプ状等、公知のパターンで塗布されている。接合域５５の接合下端部５５ａは、前後胴ベルト１８，１９の下端縁１８ｅ，１９ｅから離間して、前後胴ベルト１８，１９の下端部１８ｂ，１９ｂに沿って延びている。接合下端部５５ａと前後胴ベルト１８，１９の下端縁１８ｅ，１９ｅとの離間距離は、通常３〜２０ｍｍである。この接合下端部５５ａから、前後胴ベルト１８，１９の下端部１８ｂ，１９ｂにおいて前後シート部材２５，２４が互いに遊離している部分が、前後胴ベルト１８，１９の上端部１８ａ，１９ａから下端部１８ｂ，１９ｂに向かう方向に延び出し、フリル状になっている。なお、図４では、接合域５５、接合下端部５５ａ以外のホットメルト接着剤、及び吸収構造体１１に含まれる体液吸収性材料およびティッシュペーパは図示していない。また、前後胴ベルト１８，１９を１枚の前シート部材２４および１枚の後シート部材２５を半分に折り返して構成する代わりに、前後胴ベルト１８，１９のそれぞれを、肌対向面側に位置する内層側シート材と、非肌対向面側に位置する外層側シート材とに異なるシート材を用い、これらのシート材を接合して形成することもできる。さらに、外層側シート材を前後胴ベルト１８，１９の上端部１８ａ、１９ａにおいて折り返すとともに、内層側シート材を２種以上のシート材を用いて構成して、前後胴ベルト１８，１９を形成することもできる。
【００１８】
前シート部材２４および後シート部材２５は、通気性を有する熱可塑性樹脂製の繊維不織布を用いて形成することが好ましい。本実施形態では、顔料等により着色していない白色の熱可塑性樹脂製の繊維不織布を用いている。熱可塑性樹脂製の繊維不織布として、例えば、単位面積当り質量が約１０〜３０ｇ／ｍ２のＳＭＳ（スパンボンド・メルトブローン・スパンボンド）繊維不織布、スパンボンド不織布、エアスルー不織布から成る群から１種または２種以上を選択して用いることができる。また、前後胴ベルト１８，１９の全光線透過率（ＪＩＳ−Ｋ７１０５）が６０％以下であることが好ましく、５７％以下であることがより好ましく、５３％以下であることがさらに好ましい。前後胴ベルト１８，１９の全光線透過率が６０％を超えると、繊維不織布を通して股間パネル１３に配置された第１視認領域５１が視認され易くなるので、好ましくない。前後胴ベルト１８，１９の全光線透過率は公知の全光線透過率測定装置を用いて測定することができ、例えば日本電色工業株式会社製の交照測光式色差計Ｚ−３００Ａを用いてＪＩＳ−Ｋ７１０５に準拠して測定することができる。
【００１９】
遮蔽シート５３の横方向Ｘの寸法は、前後胴ベルト１８，１９と、股間パネル１３とが重なり合う領域に位置する第１視認領域５１の横方向Ｘの寸法と同じか、大きいことが好ましい。一方、縦方向Ｙにおいては、フリル状となる前後胴ベルト１８，１９の下端部１８ｂ，１９ｂに遮蔽シート５３が存在しないことが好ましい。別言すれば、縦方向Ｙにおいて、遮蔽シート５３をフリル状となる前後胴ベルト１８，１９の下端部１８ｂ，１９ｂまで延在させないことが好ましい。本実施形態では、遮蔽シート５３の下端は、前後胴ベルト１８，１９の下端部１８ｂ，１９ｂに最も近い胴回り弾性部材３０と、下端部１８ｂ，１９ｂとの間に位置する。通常、前後胴ベルト１８，１９の下端部１８ｂ，１９ｂから遮蔽シート５３の下端までの距離は、５〜２０ｍｍの範囲とすることが好ましい。
【００２０】
前記のように前後胴ベルト１８，１９の下端部１８ｂ，１９ｂをフリル状にすることにより、装飾的効果が得られるだけでなく、互いに遊離する２層の不織布により、透過光の散乱が促進される。この結果、前後胴ベルト１８，１９と、股間パネル１３との境界を際立たせることができる。このような透過光の散乱効果を高めるため、前後胴ベルト１８，１９を構成する少なくとも２層の繊維不織布を下端部１８ｂ，１９ｂにおいて互いに接合せず、さらに下端部１８ｂ，１９ｂでフリル状になっている部分を、股間パネル１３に接合しないことが好ましい。また、前後胴ベルト１８，１９を構成する前後シート部材２４，２５内に遮蔽シート５３を配置することで、下端部１８ｂ，１９ｂでフリル状になる部分がめくれてしまう事を防止し、遮蔽効果を着用時等にも発現することができる。さらに、下端部１８ｂ，１９ｂでフリル状になる部分の先端部を少なくとも２層の繊維不織布で構成し、フリル状になる部分の基端部側を２層の繊維不織布の間に遮蔽シート５３を配置した３層とすることにより、フリル部の先端部は曲がり易く、基端部側は先端部よりも曲がり難い状態となるので、おむつ１０の使用者または着用者の手等が触れたときにもフリル状になった部分がめくれることが一層発生しにくい。
【００２１】
図２，３を参照して、股間パネル１３は矩形形状を有し、吸収構造体１１と、肌対向面側に吸収構造体１１が接合される防漏シート４４と、防漏シート４４の非肌対向面側に接合される外面シート４５とを含んで構成される。股間パネル１３は、横方向Ｘに延びる前後端部１３ａ，１３ｂと、縦方向Ｙに延びる両側縁部１３ｃ，１３ｄを有し、股間パネル１３の前後端部１３ａ，１３ｂの非肌対向面が、それぞれ、前胴ベルト１８および後胴ベルト１９の肌対向面の中央部にホットメルト接着剤により接合されている。また、股間パネル１３の両側縁部１３ｃ，１３ｄには、縦方向Ｙに延びる脚回り弾性部材３２が伸長状態で取り付けられている。さらに、股間パネル１３の肌対向面には、両側縁部１３ｃ，１３ｄに並行に延びる一対のバリアカフ４０が設けられている。バリアカフ４０は股間パネル１３の肌対向面に対し起立可能であり、脚回り開口縁２３からの排泄物の漏出を防止する機能を有する。
【００２２】
防漏シート４４は、吸収構造体１１の非肌対向面を完全に覆うことができる面積および形状を有しており、体液不透過性のプラスチックフィルムから形成されている。防漏シート４４の非肌対向面には、格子模様の第１視認領域５１が印刷されている。但し、第１視認領域５１は、防漏シート４４の肌対向面に印刷してもよいし、外面シート４５の肌対向面または非肌対向面に印刷することもできる。第１視認領域５１をおむつ１０の外側から見えやすくするためには、第１視認領域５１を防漏シート４４の非肌対向面に配置することが好ましい。なお、図２では第１視認領域５１が配置された範囲を仮想線で示している。外面シート４５は、おむつ１０の内外面の一部を構成するので、通気性があり肌触りの良い繊維不織布で形成することが好ましい。また、防漏シート４４に第１視認領域５１を配置する場合、外面シート４５を通して第１視認領域５１が視認され易いよう、全光線透過率（ＪＩＳ−Ｋ７１０５）が７０％以上、より好ましくは７５％以上の繊維不織布で形成することが好ましい。吸収構造体１１は、縦方向Ｙにおける中央部が内側に窪んだ砂時計型の形状を有しており、例えば、フラッフパルプおよび超吸収性ポリマー粒子（ＳＡＰ）等の公知の体液吸収性材料をティッシュペーパで包み、さらに液透過性と柔軟性を有する不織布で覆うことにより形成することができるが、これに限定されない。吸収構造体１１は、防漏シート４４の肌対向面にホットメルト接着剤により接合されている。
【００２３】
股間パネル１３を構成する外面シート４５は、横方向Ｘにおける寸法が防漏シート４４よりも大きく、防漏シート４４に重ね合わされて接合されたとき、横方向Ｘにおいて防漏シート４４の両外側に延び出す一対の延出部４６を有する。吸収構造体１１は、横方向Ｘにおいて一対の延出部４６の間に位置する。各延出部４６において、防漏シート４４の側縁に沿って延びる領域には、縦方向Ｙに延びる複数条の脚回り弾性部材３２が伸長状態でホットメルト接着剤により接合されている。
【００２４】
また、外面シート４５の両側縁部では、肌対向面を内側にして折り返してスリーブ４３が形成されており、この一対のスリーブ４３の中には、縦方向Ｙに延びる複数条のバリアカフ弾性部材４２が伸長状態でホットメルト接着剤により接合されている。スリーブ４３は、バリアカフ４０の自由縁部４０ｄとして機能する。スリーブ４３は、横方向Ｘにおいて股間パネル１３の両側縁部１３ｃ，１３ｄよりも内側で縦方向Ｙに延びるとともに、スリーブ４３の縦方向Ｙにおける両端部は、それぞれ前後胴ベルト１８，１９の肌対向面側にホットメルト接着剤により接合されている。
【００２５】
図５を参照して、おむつ１０を着用者に着用させるとき、股間パネル１３に設けられた吸収構造体１１が十分引き上げられていない場合、直線状の前後胴ベルト１８，１９の下端部１８ｂ、１９ｂが変形して、Ｖ字形状となる。本実施形態のおむつ１０は、股間パネル１３に配置され、前後胴ベルト１８，１９の下端部１８ｂ、１９ｂが重なり合う第１視認領域５１が設けられているので、少なくとも前後胴ベルト１８，１９と股間パネル１３との境界領域において、股間パネル１３の中央部が、横方向Ｘ両側に比べて下向きに下がっている印象を与える事となり、図１との対比から明らかなように、上記のＶ字形状を際立たせることができる。これにより、おむつ１０を着用者に着用させる保護者等が、吸収構造体１１の引き上げが不十分であることを視認し、前後胴ベルト１８，１９と股間パネル１３との境界領域付近の第１視認領域５１によるＶ字形状が直線状の形状に近づくように、股間パネル１３の横方向Ｘ中央部付近を引き上げることを促す事ができる。第１視認領域５１を構成する模様としては、股間パネル１３と前後胴ベルト１８，１９との境界に表れるＶ字形状を視認しやすいよう、横方向Ｘに延びる部分を含む模様であることが好ましく、本実施形態の格子模様はその一例である。
【００２６】
＜第２実施形態＞
図６に示す本発明の第２実施形態では、前後胴ベルト１８，１９の一方または両方に、下端部１８ｂ、１９ｂに沿って延びる第２視認領域５２が設けられている。なお、前後胴ベルト１８，１９は無着色の白色の繊維不織布からなる。また、股間パネル１３は第１視認領域５１が配置されていない点を除き第１実施形態と同一であるので、詳細な説明は省略する。第２視認領域５２は、前後胴ベルト１８，１９の下端部１８ｂ，１９ｂに沿って延び、前後胴ベルト１８，１９と股間パネル１３とを接合する接合域５５の接合下端部５５ａに重なる位置に配置されている。また、第２視認領域５２は遮蔽シート５３の非肌対向面に印刷により形成された着色領域であり、図６に示す例では、前後胴ベルト１８，１９の下端部１８ｂ、１９ｂに沿って、側縁部１８ｃ，１８ｄ，１９ｃ，１９ｄの間に帯状に延びている。これに代えて、第２視認領域５２を、前後胴ベルト１８，１９の下端部１８ｂ、１９ｂの中央部には配置せず、前後胴ベルト１８，１９の下端部１８ｂ、１９ｂの両側に配置するこにより、２箇所に分けて設けることともできる。前後胴ベルト１８，１９の下端部１８ｂ、１９ｂの中央部において第２視認領域５２を設けない部分の横方向Ｘの寸法は、前後胴ベルト１８，１９と重なり合う位置における吸収構造体１１の横方向Ｘの寸法の１／２以下であることが好ましい。前後胴ベルト１８，１９の下端部１８ｂ、１９ｂの横方向Ｘ両側に配置される第２視認領域５２の横方向Ｘの寸法は、前記吸収構造体１１の横方向Ｘの寸法の１／２以上であることが好ましい。
【００２７】
本実施形態では、前後胴ベルト１８，１９の下端部１８ｂ、１９ｂに沿って延び、前後胴ベルト１８，１９と股間パネル１３とを接合する接合域５５の接合下端部５５ａに重なる位置に配置される帯状の第２視認領域５２により、おむつ１０を着用者に着用させるとき、股間パネル１３に設けられた吸収構造体１１の引き上げが不十分な場合、股間パネル１３と前後胴ベルト１８，１９との境界に表れるＶ字形状を際立たせることができる。なお、前後胴ベルト１８，１９の全体を印刷または顔料の添加により着色して、第２視認領域５２とすることもできる。また、第２視認領域５２を、前後胴ベルト１８，１９の下端部１８ｂ，１９ｂがフリル状となっている部分まで設ける必要は無い。さらに、第２視認領域５２を３箇所以上に分けて、前後胴ベルト１８，１９の下端部１８ｂ、１９ｂに沿って配置することもできる。
【００２８】
本発明の変形例として、外面シート４５の両側縁部を肌対向面を内側にして折り返してバリアカフ４０を形成する代わりに、外面シート４５とは別体のバリアカフ６０を外面シート４５に接合することもできる。図７に示す本発明の変形例に係るバリアカフ６０は、一枚の矩形のバリアカフシート６１を半分に折り返した内側に、複数条のバリアカフ弾性部材６２を所定の伸長倍率で伸長させた状態で接合して形成される。バリアカフ６０は、折り返したバリアカフシート６１の開放端部６３を外面シート４５の両側縁部に重ね合わせ、ホットメルト接着剤により接合領域６４において外面シート４５に接合されている。また、バリアカフ６０の縦方向Ｙ両端部６０ａ，６０ｂは、それぞれ前後胴ベルト１８，１９にホットメルト接着剤により接合される。この変形例のバリアカフ６０は、バリアカフ弾性部材６２の伸長倍率が前記所定の伸長倍率よりも小さいが、１よりも大きくなるように収縮させた状態で外面シート４５に接合されており、バリアカフ弾性部材６２の収縮により、横方向Ｘに延びる多数のギャザーが形成されている。別言すれば、バリアカフ６０は、その最大伸長時における有効伸長寸法が、前胴ベルト１８の下端縁１８ｅから後胴ベルト１９の下端縁１９ｅまでの縦方向Ｙにおける離間寸法よりも大きい状態で、外面シート４５に接合されている。以下、この状態をオーバーフィードと呼ぶ。ここで、有効伸長寸法とは、前後胴ベルト１８，１９に固定されたバリアカフ６０のうち、前後胴ベルト１８，１９にホットメルト接着剤により固定され伸長しない縦方向Ｙ両端部６０ａ，６０ｂを除く部分が、縦方向Ｙにおいて弾性的に伸縮加可能な寸法をいう。また、最大伸長時とは、バリアカフ６０をギャザーが消失するまで伸長させることを意味する。バリアカフ６０の最大伸長時の有効伸長寸法は、前後胴ベルト１８，１９の下端縁１８ｅ，１９ｅ間の離間寸法の約１．０５〜１．５倍であることが好ましい。バリアカフ６０は、最大伸長時における有効伸長寸法が、前後胴ベルト１８，１９の下端縁１８ｅ，１９ｅ間の離間寸法よりも大きいことにより、おむつ１０を縦方向Ｙに引き上げる力を受けたとき、股間パネル１３の中央部と比較して変形し易く、したがって伸長し易い。
【００２９】
このように、股間パネル１３の横方向Ｘ両側において両側縁部１３ｃ，１３ｄに沿って縦方向Ｙに延びるバリアカフ６０をオーバーフィードすることにより、バリアカフ６０は縦方向Ｙに伸長し易くなる。したがって、吸収構造体１１の横方向Ｘ両外側の部分はより変形し易くなり、引きあがり性に優れる。前述のように、従来、吸収構造体１１の中央部の引き上げが不十分になる事があった。しかし、バリアカフ６０をオーバーフィードすることにより、吸収構造体１１の中央部の引き上げが促される。これにより、おむつ１０全体をうまく引き上げる事ができるので、よりフィットした状態で着用者に装着させることができる。またバリアカフ６０をオーバーフィードする場合、吸収構造体１１の形状が、長方形または幅広部と股下側の幅狭部との差が１０％以内とされているほぼ長方形であることが好ましい。オーバーフィードされたバリアカフ６０と、ほぼ長方形の吸収構造体１１とを組み合わせることにより、バリアカフ６０は引きあがり性に優れる一方、吸収構造体１１の中央部の引き上げがより一層促進されるので、着用者の体にバリアカフ６０および吸収構造体１１をさらにフィットした状態で装着させることができる。また、中央部の幅が広い、ほぼ長方形の吸収構造体１１を用いることで、着用者の体と吸収構造体１１とのフィット性を高めることができる。一般に、吸収構造体１１の幅を広くするとおむつ１０を引き上げ難くなるが、バリアカフ６０をオーバーフィードすることによりおむつ１０を容易に引き上げることが可能となる結果、モレ難さとフィット性とを同時に改善することができる。
【００３０】
第１視認領域５１を股間パネル１３の全面に配置する必要はない。また、第１視認領域５１を２箇所以上に分けて配置することもできる。図７に示す例では、第１視認領域５１は、股間パネル１３の中央部には配置されておらず、股間パネル１３の側縁部１３ｃ，１３ｄに沿って縦方向Ｙに配置されている。この場合、股間パネル１３の中央部において第１視認領域５１を配置しない部分の横方向Ｘの寸法は、前後胴ベルト１８，１９と股間パネル１３とが重なり合う位置における吸収構造体１１の横方向Ｘの寸法の１／２以下であることが好ましい。股間パネル１３の側縁部１３ｃ，１３ｄに沿って縦方向Ｙに配置される第１視認領域５１の横方向Ｘの寸法は、前記吸収構造体１１の横方向Ｘの寸法の１／２以上であることが好ましい。
【００３１】
第１視認領域５１が配置されたおむつ１０のサンプルについて、視認性の確認を行った。このサンプルは、図７に示すように、股間パネル１３の縦方向Ｙに延びる仮想中心線（図示せず）の両側に互いに離間して配置されるとともに格子模様が形成された一対の第１視認領域５１を有するものであった。第１視認領域５１の格子模様の一方は赤色で着色され、他方は青色で着色されていた。着色された格子の線幅は３ｍｍで、格子間ピッチは１０ｍｍであった。一対の第１視認領域５１は、プラスチックフィルムからなる防漏シート４４の非肌対向面に印刷されていた。防漏シート４４は、外面シート４５の肌対向面にホットメルト接着剤で接合されていた。このときのホットメルト接着剤の塗布パターンは、格子模様のピッチ（１０ｍｍ）の約半分のピッチ（約５ｍｍ程度）の円状パターン（スパイラル状）であった。外面シート４５は、単位面積当り質量（坪量）が１５ｇ/ｍ２の、着色していない、白色のＳＭＳ繊維不織布シートであった。
【００３２】
この股間パネル１３に接合する前後胴ベルト１８，１９を構成するシート材の種類を表１に示すように種々変更することにより、前後胴ベルト１８，１９の全光線透過率が３０％〜６５％のおむつ１０のサンプル５種を準備した。この５種のサンプルについて、おむつ１０を着用させる際、吸収構造体１１の引き上げが不十分な場合に第１視認領域５１によりに形成されるＶ字形状の視認し易さを母親１０名にヒアリングした。ヒアリングは、通常のおむつ交換時を想定して、母親が着用者におむつ１０を着用させた直後に行った。ヒアリングの結果６名以上がＶ字形状を視認し易いと答えたサンプルを、良好な視認性を有するサンプルであると評価し、表１中に「良」で示した。なお、試験を行った室の照明には昼光色蛍光灯を用い、おむつ１０を交換するためのベッド上で測定した照度（ＪＩＳ−Ｃ７６１２）は約５００ｌｕｘであった。表１に示すように、全光線透過率が５７％のおむつ１０の評価が「良」であったのに対し、全光線透過率が６３％のものの評価が「不良」であったことから、全光線透過率が６０％であれば、前後胴ベルト１８，１９と股間パネル１３との境界に形成されるＶ字形状を視認し易いことが分かった。
【００３３】
【表１】
2014233562.tif 000003
【００３４】
前後胴ベルト１８，１９の全光線透過率の測定は、次のようにして行った。前後胴ベルト１８，１９それぞれの第１視認領域５１と重なる部分から、幅約５０ｍｍ、長さ約４０ｍｍの試験片を切り取り、温度２３±２℃、相対湿度５０±５％において２４時間以上保存して状態調節した。この試験片を、皺が入らないように伸ばした状態にして、日本電色工業株式会社製の交照測光式色差計Ｚ−３００Ａの測定チャンバーに取り付け、ＪＩＳ−Ｋ７１０５に準拠して全光線透過率を測定した（ｎ＝１０）。ホットメルト接着剤で接合された前後胴ベルト１８，１９と股間パネル１３とを分離するときには、冷却スプレー（ＬＰＧ混合物からなる肌冷却用スプレー）を噴射してホットメルト接着剤を溶解させながら股間パネル１３を剥離することにより行った。また、不織布の厚みは、尾崎製作所製のＰＥＡＣＯＣＫ厚み計を用い、測定端子直径１０ｍｍ、測定力５ｇｆ/ｃｍ２において測定した。
【００３５】
上記では、矩形の前後胴ベルト１８，１９、および股間パネル１３からなるおむつ１０の例について説明したが、本願発明はこれに限定されず、例えば前後胴ベルト１８，１９の下端部１８ｂ，１９ｂが下方に向けて台形状または円弧状に突き出す形状であってもよい。また、前後胴ベルト１８，１９の下端部１８ｂ，１９ｂの少なくとも一部が直線状であることが好ましい。一般に、直線と曲線とを見分けることは容易なので、下端部１８ｂ，１９ｂの少なくとも一部が直線状であることにより、吸収構造体１１の引き上げが不十分でＶ字形状が形成されたとき、股間パネル１３と前後胴ベルト１８，１９との境界を目視により容易に見分けることができる。
【００３６】
股間パネル１３に第１視認領域５１を配置するとともに前後胴ベルト１８，１９に第２視認領域５２を配置して、股間パネル１３と前後胴ベルト１８，１９との境界を際立たせることもできる。また、前胴ベルト１８と後胴ベルト１９の縦方向Ｙにおける寸法が等しいものとして説明したが、縦方向Ｙにおける前胴ベルト１８と後胴ベルト１９の寸法が異なっていてもよく、前後胴ベルト１８，１９の両側縁部の縦方向Ｙにおける長さの差が０〜１０ｍｍの範囲内にあることが好ましい。
【００３７】
おむつ１０を構成する各構成部材には、特に明記されていない限りにおいて、本明細書に記載されている材料のほかに、この種の分野において通常用いられている、各種公知の材料を制限なく用いることができる。また、「ホットメルト接着剤により接合」とは、特に断りの無い限り、スパイラル状、ドット状、ストライプ状等、公知のパターンでホットメルト接着剤を塗布して接合することを意味する。本願の図１〜図７ではホットメルト接着剤の図示は省略している。また、本発明の明細書および特許請求の範囲において、「第１」および「第２」の用語は、同様の要素、位置などを単に区別するために用いている。
【００３８】
以上に記載した本発明に関する開示は、少なくとも下記事項に整理することができる。
着用者の肌に対向する肌対向面およびその反対側に位置する非肌対向面を有し、前胴ベルトと、後胴ベルトと、前後胴ベルト間に連結される股間パネルとを備え、前後胴ベルトの両側縁部が接合されて環状の胴回りベルトが形成されるとともに、股間パネルの両端部の非肌対向面がそれぞれ前後胴ベルトの肌対向面の中央部に重ね合わせて接合域において接合され、前後胴ベルトの上端部により胴回り開口縁が形成され、前後胴ベルトの下端部の両側と股間パネルの両側縁部とにより一対の脚回り開口縁が形成されるパンツ型の吸収性物品であって、股間パネルに配置され、前後胴ベルトの少なくとも一方のベルトの下端部が重なり合う第１視認領域と、前後胴ベルトの少なくとも一方のベルトに配置され、下端部に沿って延びる第２視認領域との、いずれか一方または両方の視認領域を有し、第１および第２視認領域は色彩、模様、および色彩と模様の組合せのいずれかで構成され、第１視認領域は、前後胴ベルトと対比したとき、色彩、模様、および色彩と模様の組合せの内の少なくともいずれか１つにおいて相違し、第２視認領域は、股間パネルと対比したとき、色彩、模様、および色彩と模様の組合せの内の少なくともいずれか１つにおいて相違することを特徴とする、吸収性物品。
【００３９】
本発明の別の態様は、少なくとも下記事項に整理することができる。
着用者の肌に対向する肌対向面およびその反対側に位置する非肌対向面を有し、前胴ベルトと、後胴ベルトと、前後胴ベルト間に連結される股間パネルとを備え、前後胴ベルトの両側縁部が接合されて環状の胴回りベルトが形成されるとともに、股間パネルの両端部の非肌対向面がそれぞれ前後胴ベルトの肌対向面の中央部に重ね合わせて接合域において接合され、前後胴ベルトの上端部により胴回り開口縁が形成され、前後胴ベルトの下端部の両側と股間パネルの両側縁部とにより一対の脚回り開口縁が形成されるパンツ型の吸収性物品であって、股間パネルに配置され、前後胴ベルトの少なくとも一方のベルトの下端部が重なり合う第１視認領域と、前後胴ベルトの少なくとも一方のベルトに配置され、下端部から上端部に向けて延び出す第２視認領域との、いずれか一方または両方の視認領域を有し、第１および第２視認領域は色彩、模様、および色彩と模様の組合せのいずれかで構成され、第１視認領域は目視により前後胴ベルトと対比したとき互いに見分けることができ、第２視認領域は目視により股間パネルと対比したとき互いに見分けることができることを特徴とする、吸収性物品。
【００４０】
上記の本発明に係る吸収性物品は、少なくとも下記の実施の形態において、互いに分離又は組み合わせて採択することができる。
（１）股間パネルに第１視認領域が配置され、前後胴ベルトがそれぞれ少なくとも２層の繊維不織布で形成されるとともに繊維不織布の層間で間隔を置いて互いに接合され、下端部では少なくとも２層の繊維不織布が互いに遊離しており、前後胴ベルトと股間パネルとを接合する接合域の接合下端部が、前後胴ベルトの下端部に沿って延び、接合下端部から、前後胴ベルトの下端部において繊維不織布が互いに遊離している部分が、前後胴ベルトの上端部から下端部に向かう方向に延び出す。
（２）股間パネルに第１視認領域が配置され、前後胴ベルトの少なくとも一方に、股間パネルに配置された第１視認領域の一部と重なり合う遮蔽シートを備える。
（３）遮蔽シートが、前後胴ベルトの下端部において繊維不織布が互いに遊離する部分には存在しない。
（４）前後胴ベルトの全光線透過率（ＪＩＳ−Ｋ７１０５）が６０％以下である。
（５）前後胴ベルトの少なくとも一方に第２視認領域が配置され、前後胴ベルトがそれぞれ少なくとも２層の繊維不織布で形成されるとともに繊維不織布の層間で間隔を置いて互いに接合され、下端部では少なくとも２層の繊維不織布が互いに遊離しており、前後胴ベルトと股間パネルとを接合する接合域の接合下端部が、前後胴ベルトの下端部に沿って延び、接合下端部から、前後胴ベルトの下端部において繊維不織布が互いに遊離している部分が、前後胴ベルトの上端部から下端部に向かう方向に延び出し、第２視認領域に接合下端部が重なり合う。
（６）前後胴ベルトの下端部の少なくとも一部が直線状である。
（７）前後胴ベルトの形状がそれぞれ矩形であり、前後胴ベルトの両側縁部の長さの差が０〜１０ｍｍの範囲内にある。
（８）股間パネルの両側部に沿って縦方向に延び、バリアカフ弾性部材が伸長状態で取り付けられた一対のバリアカフを備える。
（９）縦方向において、バリアカフの最大伸長時における有効伸長寸法が、前胴ベルトの下端縁から後胴ベルトの下端縁までの離間寸法よりも大きい。
【符号の説明】
【００４１】
１０    吸収性物品（パンツ型のおむつ）
１１    吸収構造体
１３    股間パネル
１３ｃ，１３ｄ  股間パネルの側縁部
１８    前胴ベルト
１８ａ  前胴ベルトの上端部
１８ｂ  前胴ベルトの下端部
１８ｃ，１８ｄ  前胴ベルトの側縁部
１８ｅ  前胴ベルトの下端縁
１９    後胴ベルト
１９ａ  後胴ベルトの上端部
１９ｂ  後胴ベルトの下端部
１９ｃ，１９ｄ  後胴ベルトの側縁部
１９ｅ  後胴ベルトの下端縁
２０    胴回りベルト
２２    胴回り開口縁
２３    脚回り開口縁
３０    胴回り弾性部材
３２    脚回り弾性部材
４０    バリアカフ
４２    バリアカフ弾性部材
４５    外面シート
５１    第１視認領域
５２    第２視認領域
５３    遮蔽シート
５５    接合域
５５ａ  接合下端部
６０    バリアカフ
６１    バリアカフシート
６２    バリアカフ弾性部材
６３    開放端部
６４    接合領域
Ｘ      横方向
Ｙ      縦方向
【図１】
2014233562.tif 000004
【図２】
2014233562.tif 000005
【図３】
2014233562.tif 000006
【図４】
2014233562.tif 000007
【図５】
2014233562.tif 000008
【図６】
2014233562.tif 000009
【図７】
2014233562.tif 000010